(57)【要約】【課題】効率的に廃棄することができる情報媒体処分方法及び情報媒体処分システムを提供する。【解決手段】機密情報が記録された書類とともに回収箱Ｂに収容されるＩＣチップ５０に暗証情報を記憶させる。管理センタＣＣの管理コンピュータは、処理場に搬送された回収箱Ｂ内のＩＣチップ５０のＩＣ識別子データに基いて、利用者を特定し、その利用者に関する情報を処理場の処理場コンピュータ２５に送信する。処理場コンピュータ２５は、利用者に関する情報に基いて、ＩＣ識別子データとともに読み出した暗証情報を利用者コンピュータ２０に送信する。処理場コンピュータ２５は、利用者が受信した暗証情報が正しいとして処理開始信号を利用者コンピュータ２０から受信すると、回収箱Ｂの処理を開始する指示を出す。【選択図】      図１
2005046662.tif 000002
【特許請求の範囲】
【請求項１】
利用者が廃棄する情報媒体を収容する収納容器と、
媒体識別情報及び利用者が設定した暗証情報を記録し、前記収納容器に付加する認証用記憶媒体と、
前記利用者の利用者コンピュータ及び廃棄処理を行う処理場の処理場コンピュータに接続可能な管理コンピュータと、前記媒体識別情報と前記利用者に関する利用者情報とを関連付けて記憶した利用者情報記憶手段を備える廃棄処理管理システムを用いて、前記利用者の情報媒体を収容した収納容器を廃棄する情報媒体処分方法であって、
前記管理コンピュータが、
前記処理場コンピュータから受信した前記媒体識別情報に基いて、前記利用者情報記憶手段を用いて利用者情報を特定する特定段階と、
前記処理場コンピュータに、前記認証用記憶媒体に記録された暗証情報を前記利用者コンピュータに送信させるため、前記特定した利用者情報を前記処理場コンピュータに送信する送信段階と
を備えたことを特徴とする情報媒体処分方法。
【請求項２】
請求項１に記載の情報媒体処分方法において、
前記認証用記憶媒体は、演算関数を記録可能な演算素子であることを特徴とする情報媒体処分方法。
【請求項３】
請求項１又は２に記載の情報媒体処分方法において、
前記管理コンピュータは、前記情報媒体及び前記認証用記憶媒体を収容した収納容器を封印する封印シールの識別情報を、前記利用者情報に関連付けて記憶する記憶段階を更に備えたことを特徴とする情報媒体処分方法。
【請求項４】
請求項３に記載の情報媒体処分方法において、
前記管理コンピュータは、前記収納容器を前記処理場に移送するために前記収納容器を収容するカーゴに、前記収納容器が収容されて施錠されたときに用いられた鍵情報を、前記利用者コンピュータから受信して記憶する段階と、
前記処理場コンピュータからの取得要求に応じて、前記鍵情報を前記処理場コンピュータに送信する段階と
を更に備えたことを特徴とする情報媒体処分方法。
【請求項５】
請求項１〜４のいずれか１つに記載の情報媒体処分方法において、
前記管理コンピュータは、処分する前記情報媒体を積載して前記処理場に移送する車両の位置情報を記録する段階を更に備えたことを特徴とする情報媒体処分方法。
【請求項６】
利用者が廃棄する情報媒体を収容する収納容器と、
媒体識別情報及び利用者が設定した暗証情報を記録し、前記収納容器に付加する認証用記憶媒体と、
前記利用者の利用者コンピュータ及び廃棄処理を行う処理場の処理場コンピュータに接続可能な管理コンピュータと、前記媒体識別情報と前記利用者に関する利用者情報とを関連付けて記憶した利用者情報記憶手段を備える廃棄処理管理システムを用いて、前記利用者の情報媒体を収容した収納容器を廃棄する情報媒体処分方法であって、
前記処理場コンピュータが、
前記収納容器に設けられた前記認証用記憶媒体から取得した前記媒体識別情報に基いて、前記利用者情報記憶手段から利用者情報を特定する段階と、
この特定段階において特定した利用者の前記利用者コンピュータに、前記認証用記憶媒体から取得した前記暗証情報を送信する段階と
を備えたことを特徴とする情報媒体処分方法。
【請求項７】
請求項６に記載の情報媒体処分方法において、
前記処理場コンピュータは、前記暗証情報を受信した利用者コンピュータからの信号に基いて、前記暗証情報を記憶した認証用記憶媒体を有する前記収納容器の処分を行う段階を更に備えたことを特徴とする情報媒体処分方法。
【請求項８】
請求項７に記載の情報媒体処分方法において、
前記処理場コンピュータは、前記収納容器が処分される様子を撮影した画像を記録する段階と、
前記画像のデータを前記収納容器の廃棄を依頼した利用者の前記利用者コンピュータに送信する段階と
を更に備えたことを特徴とする情報媒体処分方法。
【請求項９】
利用者が廃棄する情報媒体を収容する収納容器と、
媒体識別情報及び利用者が設定した暗証情報を記録し、前記収納容器に付加する認証用記憶媒体と、
前記利用者の利用者コンピュータ及び廃棄処理を行う処理場の処理場コンピュータに接続可能な管理コンピュータと、前記媒体識別情報と前記利用者に関する利用者情報とを関連付けて記憶した利用者情報記憶手段とを備え、前記利用者の情報媒体を収容した収納容器を廃棄する情報媒体処分システムであって、
前記管理コンピュータが、
前記処理場コンピュータから受信した前記媒体識別情報に基いて、前記利用者情報記憶手段を用いて利用者情報を特定する特定手段と、
前記処理場コンピュータに、前記認証用記憶媒体に記録された暗証情報を前記利用者コンピュータに送信させるため、前記特定した利用者情報を前記処理場コンピュータに送信する送信手段と
を備えたことを特徴とする情報媒体処分システム。
【請求項１０】
請求項９に記載の情報媒体処分システムにおいて、
前記認証用記憶媒体は、演算関数を記録可能な演算素子であることを特徴とする情報媒体処分システム。
【請求項１１】
請求項９又は１０に記載の情報媒体処分システムにおいて、
前記管理コンピュータは、前記情報媒体及び前記認証用記憶媒体を収容した収納容器を封印する封印シールの識別情報を、前記利用者情報に関連付けて記憶する記憶手段を更に備えたことを特徴とする情報媒体処分システム。
【請求項１２】
請求項１１に記載の情報媒体処分システムにおいて、
前記管理コンピュータは、前記収納容器を前記処理場に移送するために前記収納容器を収容するカーゴに、前記収納容器が収容されて施錠されたときに用いられた鍵情報を、前記利用者コンピュータから受信して記憶する段階と、
前記処理場コンピュータからの取得要求に応じて、前記鍵情報を前記処理場コンピュータに送信する段階と
を更に備えたことを特徴とする情報媒体処分システム。
【請求項１３】
請求項９〜１２のいずれか１つに記載の情報媒体処分システムにおいて、
前記管理コンピュータは、処分する前記情報媒体を積載して前記処理場に移送する車両の位置情報を記録する段階を更に備えたことを特徴とする情報媒体処分システム。
【請求項１４】
利用者が廃棄する情報媒体を収容する収納容器と、
媒体識別情報及び利用者が設定した暗証情報を記録し、前記収納容器に付加する認証用記憶媒体と、
前記利用者の利用者コンピュータ及び廃棄処理を行う処理場の処理場コンピュータに接続可能な管理コンピュータと、前記媒体識別情報と前記利用者に関する利用者情報とを関連付けて記憶した利用者情報記憶手段とを備え、前記利用者の情報媒体を収容した収納容器を廃棄する情報媒体処分システムであって、
前記処理場コンピュータが、
前記収納容器に設けられた前記認証用記憶媒体から取得した前記媒体識別情報に基いて、前記利用者情報記憶手段から利用者情報を特定する手段と、
この特定段階において特定した利用者の前記利用者コンピュータに、前記認証用記憶媒体から取得した前記暗証情報を送信する手段と
を備えたことを特徴とする情報媒体処分システム。
【請求項１５】
請求項１４に記載の情報媒体処分システムにおいて、
前記処理場コンピュータは、前記暗証情報を受信した利用者コンピュータからの信号に基いて、前記暗証情報を記憶した認証用記憶媒体を有する前記収納容器の処分を行う手段を更に備えたことを特徴とする情報媒体処分システム。
【請求項１６】
請求項１５に記載の情報媒体処分システムにおいて、
前記処理場コンピュータは、前記収納容器が処分される様子を撮影した画像を記録する手段と、
前記画像のデータを前記収納容器の廃棄を依頼した利用者の前記利用者コンピュータに送信する手段と
を更に備えたことを特徴とする情報媒体処分方法。
【発明の詳細な説明】
【０００１】
【発明の属する技術分野】
本発明は、例えば機密情報などの情報を記録した媒体を処分する情報媒体処分方法及び情報媒体処分システムに関する。
【０００２】
【従来の技術】
従来、紙などに記録された機密情報を自分自身で廃棄するときには、機密情報が記載された書類をシュレッダーなどで短冊状に裁断していた。この場合、コスト及び手間がかかっていた。
【０００３】
そこで、自分で裁断処理を行わなくても、機密情報の漏洩を防止して機密情報を廃棄することができる技術が開示されている（例えば、特許文献１。）。この特許文献１には、書類を溶解する溶解液を収容している回収車が開示されている。このため、機密情報の所有者の監視の下に機密情報が記載された書類を回収車に投入して、その場で書類を処分することができる。すなわち、自分で処理する手間がなく、最終処分に立ち会うことにより機密情報の漏洩を防止しながら廃棄処分を行うことができるという効果があった。
【０００４】
【特許文献１】
特開２０００−３１８５０７号公報
【０００５】
【発明が解決しようとする課題】
ところが、回収車のスペースは一般に小さいため、一度に処分できる書類は少量であった。すなわち、機密情報が記載された多量の紙を短時間で処分することができなかった。このため、機密書類の所有者は、最終処分に立ち会う時間が長くなり、機密情報を効率的に廃棄することができなかった。
【０００６】
本発明は、上述した問題に鑑みてなされ、その目的は、効率的に廃棄することができる情報媒体処分方法及び情報媒体処分システムを提供することにある。
【０００７】
【課題を解決するための手段】
上記問題点を解決するために、請求項１に記載の発明は、利用者が廃棄する情報媒体を収容する収納容器と、媒体識別情報及び利用者が設定した暗証情報を記録し、前記収納容器に付加する認証用記憶媒体と、前記利用者の利用者コンピュータ及び廃棄処理を行う処理場の処理場コンピュータに接続可能な管理コンピュータと、前記媒体識別情報と前記利用者に関する利用者情報とを関連付けて記憶した利用者情報記憶手段を備える廃棄処理管理システムを用いて、前記利用者の情報媒体を収容した収納容器を廃棄する情報媒体処分方法であって、前記管理コンピュータが、前記処理場コンピュータから受信した前記媒体識別情報に基いて、前記利用者情報記憶手段を用いて利用者情報を特定する特定段階と、前記処理場コンピュータに、前記認証用記憶媒体に記録された暗証情報を前記利用者コンピュータに送信させるため、前記特定した利用者情報を前記処理場コンピュータに送信する送信段階とを備えたことを要旨とする。
【０００８】
請求項２に記載の発明は、請求項１に記載の情報媒体処分方法において、前記認証用記憶媒体は、演算関数を記録可能な演算素子であることを要旨とする。
請求項３に記載の発明は、請求項１又は２に記載の情報媒体処分方法において、前記管理コンピュータは、前記情報媒体及び前記認証用記憶媒体を収容した収納容器を封印する封印シールの識別情報を、前記利用者情報に関連付けて記憶する記憶段階を更に備えたことを要旨とする。
【０００９】
請求項４に記載の発明は、請求項３に記載の情報媒体処分方法において、前記管理コンピュータは、前記収納容器を前記処理場に移送するために前記収納容器を収容するカーゴに、前記収納容器が収容されて施錠されたときに用いられた鍵情報を、前記利用者コンピュータから受信して記憶する段階と、前記処理場コンピュータからの取得要求に応じて、前記鍵情報を前記処理場コンピュータに送信する段階とを更に備えたことを要旨とする。
【００１０】
請求項５に記載の発明は、請求項１〜４のいずれか１つに記載の情報媒体処分方法において、前記管理コンピュータは、処分する前記情報媒体を積載して前記処理場に移送する車両の位置情報を記録する段階を更に備えたことを要旨とする。
【００１１】
請求項６に記載の発明は、利用者が廃棄する情報媒体を収容する収納容器と、媒体識別情報及び利用者が設定した暗証情報を記録し、前記収納容器に付加する認証用記憶媒体と、前記利用者の利用者コンピュータ及び廃棄処理を行う処理場の処理場コンピュータに接続可能な管理コンピュータと、前記媒体識別情報と前記利用者に関する利用者情報とを関連付けて記憶した利用者情報記憶手段を備える廃棄処理管理システムを用いて、前記利用者の情報媒体を収容した収納容器を廃棄する情報媒体処分方法であって、前記処理場コンピュータが、前記収納容器に設けられた前記認証用記憶媒体から取得した前記媒体識別情報に基いて、前記利用者情報記憶手段から利用者情報を特定する段階と、この特定段階において特定した利用者の前記利用者コンピュータに、前記認証用記憶媒体から取得した前記暗証情報を送信する段階とを備えたことを要旨とする。
【００１２】
請求項７に記載の発明は、請求項６に記載の情報媒体処分方法において、前記処理場コンピュータは、前記暗証情報を受信した利用者コンピュータからの信号に基いて、前記暗証情報を記憶した認証用記憶媒体を有する前記収納容器の処分を行う段階を更に備えたことを要旨とする。
【００１３】
請求項８に記載の発明は、請求項７に記載の情報媒体処分方法において、前記処理場コンピュータは、前記収納容器が処分される様子を撮影した画像を記録する段階と、前記画像のデータを前記収納容器の廃棄を依頼した利用者の前記利用者コンピュータに送信する段階とを更に備えたことを要旨とする。
【００１４】
請求項９に記載の発明は、利用者が廃棄する情報媒体を収容する収納容器と、媒体識別情報及び利用者が設定した暗証情報を記録し、前記収納容器に付加する認証用記憶媒体と、前記利用者の利用者コンピュータ及び廃棄処理を行う処理場の処理場コンピュータに接続可能な管理コンピュータと、前記媒体識別情報と前記利用者に関する利用者情報とを関連付けて記憶した利用者情報記憶手段とを備え、前記利用者の情報媒体を収容した収納容器を廃棄する情報媒体処分システムであって、前記管理コンピュータが、前記処理場コンピュータから受信した前記媒体識別情報に基いて、前記利用者情報記憶手段を用いて利用者情報を特定する特定手段と、前記処理場コンピュータに、前記認証用記憶媒体に記録された暗証情報を前記利用者コンピュータに送信させるため、前記特定した利用者情報を前記処理場コンピュータに送信する送信手段とを備えたことを要旨とする。
【００１５】
請求項１０に記載の発明は、請求項９に記載の情報媒体処分システムにおいて、前記認証用記憶媒体は、演算関数を記録可能な演算素子であることを要旨とする。
【００１６】
請求項１１に記載の発明は、請求項９又は１０に記載の情報媒体処分システムにおいて、前記管理コンピュータは、前記情報媒体及び前記認証用記憶媒体を収容した収納容器を封印する封印シールの識別情報を、前記利用者情報に関連付けて記憶する記憶手段を更に備えたことを要旨とする。
【００１７】
請求項１２に記載の発明は、請求項１１に記載の情報媒体処分システムにおいて、前記管理コンピュータは、前記収納容器を前記処理場に移送するために前記収納容器を収容するカーゴに、前記収納容器が収容されて施錠されたときに用いられた鍵情報を、前記利用者コンピュータから受信して記憶する段階と、前記処理場コンピュータからの取得要求に応じて、前記鍵情報を前記処理場コンピュータに送信する段階とを更に備えたことを要旨とする。
【００１８】
請求項１３に記載の発明は、請求項９〜１２のいずれか１つに記載の情報媒体処分システムにおいて、前記管理コンピュータは、処分する前記情報媒体を積載して前記処理場に移送する車両の位置情報を記録する段階を更に備えたことを要旨とする。
【００１９】
請求項１４に記載の発明は、利用者が廃棄する情報媒体を収容する収納容器と、媒体識別情報及び利用者が設定した暗証情報を記録し、前記収納容器に付加する認証用記憶媒体と、前記利用者の利用者コンピュータ及び廃棄処理を行う処理場の処理場コンピュータに接続可能な管理コンピュータと、前記媒体識別情報と前記利用者に関する利用者情報とを関連付けて記憶した利用者情報記憶手段とを備え、前記利用者の情報媒体を収容した収納容器を廃棄する情報媒体処分システムであって、前記処理場コンピュータが、前記収納容器に設けられた前記認証用記憶媒体から取得した前記媒体識別情報に基いて、前記利用者情報記憶手段から利用者情報を特定する手段と、この特定段階において特定した利用者の前記利用者コンピュータに、前記認証用記憶媒体から取得した前記暗証情報を送信する手段とを備えたことを要旨とする。
【００２０】
請求項１５に記載の発明は、請求項１４に記載の情報媒体処分システムにおいて、前記処理場コンピュータは、前記暗証情報を受信した利用者コンピュータからの信号に基いて、前記暗証情報を記憶した認証用記憶媒体を有する前記収納容器の処分を行う手段を更に備えたことを要旨とする。
【００２１】
請求項１６に記載の発明は、請求項１５に記載の情報媒体処分システムにおいて、前記処理場コンピュータは、前記収納容器が処分される様子を撮影した画像を記録する手段と、前記画像のデータを前記収納容器の廃棄を依頼した利用者の前記利用者コンピュータに送信する手段とを更に備えたことを要旨とする。
【００２２】
（作用）
請求項１、６、９又は１４に記載の発明によれば、処理場に到着した収納容器に設けられた認証用記憶媒体の媒体識別情報に基いて、その収納容器に収容された情報媒体の廃棄を依頼した利用者の利用者情報を特定する。処理場コンピュータは、特定された利用者情報に基いて、その利用者の利用者コンピュータに、収納容器に設けられた認証用記憶媒体に記録された暗証情報を送信する。このため、利用者は、自分が設定した暗証情報に基いて、廃棄を依頼した収納容器の確認を行うことができる。従って、収納容器の確認結果に基いて、収納容器を処分することができる。また、処理は処理場で行うことができ、一度に多量の処理を行うことができる。このため、情報媒体を効率的に廃棄することができる。
【００２３】
請求項２又は１０に記載の発明によれば、認証用記憶媒体は、演算関数を記録可能な演算素子であるので、暗証情報を利用者以外の者が容易に判明できない情報に容易に設定することができる。従って、利用者は処分を依頼した情報媒体を収容した収納容器か否かを容易に判断することができる。例えば、このＩＣチップに、利用者が設定した所定の関数を記録することにより、より確実に照合できる。
【００２４】
請求項３又は１１に記載の発明によれば、収納容器を封印する封印シールの識別情報を前記利用者情報に関連付けして記憶している。このため、情報媒体が処理場において処分されるまでに収納容器から取り出されたか否かを容易に判断することができる。従って、利用者は、廃棄を依頼した情報媒体が処理場で処分される前に、封印シールが違わずにその情報が漏洩していないことを確認しながら、処分場に到着したか否かを容易に判断することができる。
【００２５】
請求項４又は１２に記載の発明によれば、収納容器を収容するカーゴに利用者が施錠したときの鍵情報を管理コンピュータに一時的に記憶し、記憶した鍵情報を利用者コンピュータに送信する。このため、管理コンピュータから鍵情報を取得しない限り、情報媒体を収容した収納容器をカーゴから取り出すことができない。従って、情報媒体の情報の漏洩のおそれを低減することができる。
【００２６】
請求項５又は１３に記載の発明によれば、管理コンピュータは、処分する情報媒体を積載した車両の位置情報を記録する。このため、情報媒体を回収してから処理場に到着するまでの車両の位置を確認することができる。従って、情報媒体に記録された情報の処分を確認できる。
【００２７】
請求項７又は１５に記載の発明によれば、暗証情報を受信した利用者コンピュータからの信号に基いて処分が開始されるので、利用者が廃棄を依頼した情報媒体をより確実に処分することができる。
【００２８】
請求項８又は１６に記載の発明によれば、収納容器が処分される様子を撮影した画像を利用者コンピュータに送信するので、利用者は、利用者コンピュータを介して、収納容器が処分される様子を観察することができる。このため、利用者は、収納容器の最終処分の様子を画像によって確認することができるので、機密情報が記録された媒体をより確実に処分することができる。
【００２９】
【発明の実施の形態】
以下、本発明を具体化した情報媒体処分システムの一実施形態を図１〜図１４に基いて説明する。
【００３０】
図１に示すように、本情報媒体処分システムの利用者は、利用者コンピュータ２０を利用する。この利用者コンピュータ２０には、情報を入力するためのキーボード及びマウスや、情報を表示するためのディスプレイが接続されている。また、利用者コンピュータ２０は、廃棄処理管理システムとしての管理センタＣＣにネットワークＮを介して接続されており、この管理センタＣＣと情報の送受信を行う。更に、利用者コンピュータ２０には、取り外し可能なＩＣ入力機器２１が接続される。このＩＣ入力機器２１は、認証用記憶媒体としてのＩＣチップ５０に暗証情報を書き込むライタである。ここで、暗証情報とは、利用者が任意に設定した情報のことで、例えば暗証番号である。
【００３１】
ＩＣチップ５０は、収納容器としての回収箱Ｂの内側に貼付される。貼付されたＩＣチップ５０には、利用者によってＩＣ入力機器２１を用いて暗証情報がすでに書き込まれている。
【００３２】
また、回収箱Ｂには、廃棄される情報媒体としての紙（書類）が収容されている。この書類には本実施形態では機密情報が記載されている。更に、回収箱Ｂには、開封される部分に封印シール５１が貼付されている。この封印シール５１には、各封印シールを識別するための封印番号（図示せず）が表示されている。
【００３３】
封印シールがされた回収箱Ｂは、複数の回収箱Ｂを積載するカーゴ５５に積載される。このカーゴ５５は、蓋付きの収容部を複数有し、各収容部の蓋には、鍵情報を入力する鍵パネル部５６が設けられている。すなわち、鍵パネル部５６に介して鍵番号を入力することにより、収容部の蓋がロックされたり解除されたりする。なお、カーゴ５５は、移送車ＣＡに収容されて、廃棄物の処理を行う処理場に移送される。
【００３４】
移送車ＣＡには、携帯コンピュータ２３が備えられている。携帯コンピュータ２３は、封印シール５１及びカーゴ５５の識別番号が入力するための端末である。また、携帯コンピュータ２３は、移送車ＣＡの位置情報を管理センタＣＣに送信する送信端末でもある。詳述すると、携帯コンピュータ２３は、ＧＰＳ（Ｇｌｏｂａｌ  Ｐｏｓｉｔｉｏｎｉｎｇ  Ｓｙｓｔｅｍ  ）衛星からの電波（ＧＰＳ信号）を受信し、このＧＰＳ信号を含む車両位置情報を管理センタＣＣに送信して、移送車ＣＡの位置情報を管理センタＣＣに報告する。
【００３５】
一方、廃棄物の処理を行う処理場には、処理場コンピュータ２５が設置されている。この処理場コンピュータ２５には、利用者コンピュータ２０と同様に、ディスプレイ、キーボード及びマウスが接続されている。また、処理場コンピュータ２５は、ネットワークＮを介して管理センタＣＣに接続されており、この管理センタＣＣと情報の送受信を行う。更に、処理場コンピュータ２５には、読出端末２６及びカメラ２７が接続されている。読出端末２６は、カーゴ５５から取り出された回収箱Ｂに設けられたＩＣチップ５０の情報を読み出すためのリーダである。カメラ２７は、回収箱Ｂをパルパー（溶解釜）２８に投入して溶解する最終処分処理状況を撮影するためのカメラである。
【００３６】
一方、図２に示すように、管理センタＣＣは、管理コンピュータ３０と、利用者情報記憶手段としての利用者情報記憶部３１、ＩＣチップ情報記憶部３２、封印シール情報記憶部３３、カーゴ情報記憶部３４、車両情報記憶部３５及び請求情報記憶部３６を備えている。
【００３７】
管理コンピュータ３０は、特定手段、送信手段及び記憶手段として機能し、特定段階、送信段階及び記憶段階を有する処理を行う。また、管理コンピュータ３０は、各記憶部３１〜３６に接続されており、この各記憶部３１〜３６に情報を記憶させたり各記憶部３１〜３６から情報を取得したりする。
【００３８】
図３に示すように利用者情報記憶部３１には、本システムを利用する利用者に関する利用者情報３１０が記憶されている。利用者情報３１０は、利用者識別子データ３１１、利用者名データ３１２、住所データ３１３、メールアドレスデータ３１４及び代金引落口座データ３１５を含む。利用者識別子データ３１１は、各利用者を識別するための識別子のデータである。利用者名データ３１２は、利用者の名前についてのデータである。住所データ３１３は、利用者の住所、すなわち、廃棄する書類を回収する場所のデータである。メールアドレスデータ３１４は、利用者の連絡先であるメールアドレスに関するデータである。代金引落口座データ３１５は、書類の廃棄が完了した後に、代金請求処理において代金が引き落とされる利用者の口座に関するデータである。
【００３９】
図４に示すように、ＩＣチップ情報記憶部３２には、ＩＣチップ５０に関するＩＣチップ情報３２０が記憶されている。ＩＣチップ情報３２０には、ＩＣ識別子データ３２１、利用者識別子データ３１１及び画像データ３２２が含まれる。ＩＣ識別子データ３２１は、各ＩＣチップを識別するための識別番号のデータであり、例えば製造番号のデータなどである。また、ＩＣ識別子データ３２１に関連付けられた利用者識別子データ３１１は、そのＩＣチップ５０を用いて機密情報が記録された書類の廃棄を依頼した利用者の利用者識別子データ３１１である。また、画像データ３２２は、ＩＣ識別子データ３２１に関連付けられた回収箱Ｂがパルパー２８に投入されて溶解されるときの動画の画像データである。
【００４０】
図５に示すように、封印シール情報記憶部３３には、封印シール５１の封印シール情報３３０が記憶されている。この封印シール情報３３０には、利用者の利用者識別子データ３１１と関連付けされた封印番号データ３３１が含まれる。封印番号データ３３１は、各封印シールを識別するための識別子データであって、封印シールに表示されている番号である。
【００４１】
図６に示すように、カーゴ情報記憶部３４には、カーゴ５５に関するカーゴ情報３４０が記憶されている。このカーゴ情報３４０は、カーゴ識別子データ３４１、封印番号データ３３１、鍵情報としての鍵番号データ３４２及び回収日時データ３４３を含む。カーゴ識別子データ３４１は、各カーゴ５５を識別するための識別子のデータである。封印番号データ３３１は、カーゴ５５に積載された回収箱Ｂを封印している封印シールの識別子のデータである。鍵番号データ３４２は、カーゴ５５の鍵パネル部５６に入力された鍵番号のデータである。回収日時データ３４３は、カーゴ５５に回収箱Ｂが積載された日時、すなわち、移送車ＣＡによって回収箱Ｂが利用者から回収された日時のデータである。
【００４２】
図７に示すように、車両情報記憶部３５には、移送車ＣＡに関する車両情報３５０が記憶されている。この車両情報３５０は、移送車ＣＡを識別するための車両識別子データ３５１と、移送車ＣＡに積載したカーゴ識別子データ３４１と、通過位置データ３５２とを含む。車両識別子データ３５１は、各車両を識別するための識別データである。カーゴ識別子データ３４１は、車両に積載したカーゴ５５のカーゴ識別子データ３４１である。通過位置データ３５２は、携帯コンピュータ２３から送信されたＧＰＳの情報に基いて算出された移送車ＣＡの現在位置に関するデータである。
【００４３】
図８に示すように請求情報記憶部３６は、請求情報３６０が記憶されている。この請求情報３６０は、ＩＣ識別子データ３２１に関連付けされて、処理完了フラグ３６１と、代金回収フラグ３６２とのデータを含む。処理完了フラグ３６１は、回収箱Ｂが溶解されて廃棄処分が完了したことを利用者が確認したときに記憶されるフラグである。また、代金回収フラグ３６２は、廃棄処分が完了した回収箱Ｂに対して代金の支払いが完了したときに記憶されるフラグである。
【００４４】
次に、機密情報が記録された書類を廃棄するための処理手順を説明する。
（登録処理）
本システムを利用するにあたっては、利用者は、まず利用者コンピュータ２０を用いて図９に示す登録処理を行う。この登録処理において利用者は、利用者コンピュータ２０を管理コンピュータ３０に接続して申し込みを行う。
【００４５】
すなわち、利用者コンピュータ２０は、登録を希望する利用者の申し込み情報を管理コンピュータ３０に送信する（ステップＳ１−１）。申し込み情報には、利用者名データ３１２、住所データ３１３、メールアドレスデータ３１４及び代金引落口座データ３１５が含まれる。
【００４６】
そして、管理コンピュータ３０は、利用者情報３１０を利用者情報記憶部３１に記憶する（ステップＳ１−２）。詳述すると、管理コンピュータ３０は、受信した申し込み情報に利用者識別子データ３１１を付与し、利用者識別子データ３１１と申し込み情報とを利用者情報３１０とする利用者情報記憶部３１に記憶する。
【００４７】
次に、管理コンピュータ３０は、登録が完了した旨の申し込み情報を送信した利用者コンピュータ２０に送信する（ステップＳ１−３）。これにより登録処理が終了する。
【００４８】
（発注処理）
次に、図１０に示す発注処理が行われる。この発注処理においては、利用者コンピュータ２０が発注依頼を送信する（ステップＳ２−１）。このときの発注依頼には、利用者が廃棄したい書類の量に関する情報が含まれる。
【００４９】
次に、管理コンピュータ３０は、ＩＣチップ５０のＩＣ識別子データ３２１をＩＣチップ情報記憶部３２に記憶する（ステップＳ２−２）。すなわち、管理コンピュータ３０はＩＣチップ５０の製造番号を読み取り、その製造番号をＩＣチップ情報記憶部３２にＩＣ識別子データ３２１として記憶させる。なお、ＩＣ識別子データ３２１が記憶されるＩＣチップ５０の個数は、発注依頼に含まれていた書類の量に関する情報に基いて決定された回収箱Ｂに対応する個数となる。
【００５０】
また、管理コンピュータ３０は、封印番号データ３３１と利用者識別子データ３１１とを封印シール情報記憶部３３に記憶する（ステップＳ２−３）。ここで、封印番号データ３３１は、封印シール５１に表示された封印番号データ３３１である。また、利用者識別子データ３１１は、封印シール５１を用いて廃棄する書類を発送する利用者の利用者識別子データ３１１である。なお、封印シール５１の個数は、ＩＣチップ５０の個数と同様に、回収箱Ｂに対応する個数となる。
【００５１】
そして、管理コンピュータ３０は、送付指示処理を行う（ステップＳ２−４）。この送付指示処理によって、回収箱Ｂ、データが記憶されたＩＣチップ５０、封印番号データ３３１が記載された封印シール５１及びＩＣ入力機器２１がセットで発注依頼を行った利用者に送付される。
【００５２】
（回収前段階処理）
次に、回収される前に行われる回収前段階処理について、図１１を用いて説明する。回収箱Ｂ、ＩＣチップ５０、封印シール５１及びＩＣ入力機器２１を受け取った利用者は、利用者コンピュータ２０にＩＣ入力機器２１を接続する。次に、このＩＣ入力機器２１にＩＣチップ５０を挿入する。そして、利用者は、利用者コンピュータ２０を用いてＩＣチップ５０に入力する暗証情報を任意に設定する。なお、ＩＣチップ５０に記憶させた暗証情報は、利用者が保持している。
【００５３】
利用者コンピュータ２０は、生成した暗証情報をＩＣ入力機器２１に送信する（ステップＳ３−１）。ＩＣ入力機器２１は、受信した暗証情報を収容しているＩＣチップ５０に書き込む（ステップＳ３−２）。
【００５４】
その後、利用者は、暗証情報が記憶されたＩＣチップ５０を回収箱Ｂに収容し、この回収箱Ｂに廃棄する書類を詰める。そして、利用者は、利用者コンピュータ２０を用いて回収要求を管理コンピュータ３０に送信する（ステップＳ３−３）。すなわち、利用者コンピュータ２０は、回収を希望する日時などの回収情報を管理コンピュータ３０に送信する。
【００５５】
そして、管理コンピュータ３０は、車両手配処理を行う（ステップＳ３−４）。この車両手配処理において、管理コンピュータ３０は、回収要求があった利用者の利用者情報３１０の住所データ３１３、利用者コンピュータ２０から受信した回収情報及び車両の予定などの情報に基いて移送車ＣＡを決定する。
【００５６】
（回収処理）
次に、回収処理について、図１２を用いて説明する。手配された移送車ＣＡが利用者のところに到着すると、まず移送車ＣＡに乗車していた回収者は、回収情報を携帯コンピュータ２３に入力する。具体的には、積載した回収箱Ｂに貼付された封印シール５１の封印番号データ３３１と、その回収箱Ｂを積載したカーゴ５５のカーゴ識別子データ３４１とを関連付けて携帯コンピュータ２３に入力する。そして、携帯コンピュータ２３は、回収情報を管理コンピュータ３０に送信する（ステップＳ４−１）。回収情報には、封印番号データ３３１と、カーゴ識別子データ３４１と、車両識別子データ３５１と、回収箱Ｂを回収した日時の回収日時データ３４３とが含まれる。
【００５７】
そして、管理コンピュータ３０は、受信した回収情報を記憶する（ステップＳ４−２）。具体的には、管理コンピュータ３０は、封印番号データ３３１、カーゴ識別子データ３４１及び回収日時データ３４３をカーゴ情報記憶部３４に記憶する。更に、管理コンピュータ３０は、カーゴ識別子データ３４１を車両識別子データ３５１と関連付けて車両情報記憶部３５に記憶する。なお、携帯コンピュータ２３及び管理コンピュータ３０における上記ステップＳ４−１、Ｓ４−２の処理は、回収箱Ｂを回収する度に行われる。
【００５８】
一方、利用者は、封印番号データ３３１の読み取りが完了した封印シール５１が貼付された回収箱Ｂをカーゴ５５の収容部に挿入する。そして、利用者は、鍵パネル部５６に任意の鍵番号を入力して、鍵パネル部５６が設けられた収容部を施錠する。
【００５９】
その後、利用者は、カーゴ５５の収容部の鍵パネル部５６に入力した鍵番号データ３４２を利用者コンピュータ２０に入力する。これにより、利用者コンピュータ２０は、鍵番号データ３４２を管理コンピュータ３０に送信する（ステップＳ４−３）。このとき、利用者コンピュータ２０は、鍵番号データ３４２とともに、封印番号データ３３１をも送信する。
管理コンピュータ３０は、受信した鍵番号データ３４２を封印番号データ３３１に関連付けてカーゴ情報記憶部３４に記憶する（ステップＳ４−４）。
【００６０】
（移送処理）
カーゴ５５を積載した移送車ＣＡが処理場まで回収箱Ｂを移送する間に、移送車ＣＡの携帯コンピュータ２３は、図１３に示す移送処理を行う。この移送処理においては、携帯コンピュータ２３は、ＧＰＳ衛星から受信したＧＰＳ信号を含む車両位置情報を管理コンピュータ３０に送信する（ステップＳ５−１）。
【００６１】
管理コンピュータ３０は、受信した車両位置情報を記憶する（ステップ５−２）。詳述すると、管理コンピュータ３０は、移送車ＣＡの携帯コンピュータ２３から送信されたＧＰＳ信号に基いて、車両情報の位置を算出し、この位置情報を通過位置データ３５２として車両情報記憶部３５に記憶する。なお、これらステップＳ５−１、Ｓ５−２の処理は、所定時間毎に繰り返して行われる。
【００６２】
そして、回収箱Ｂが移送車ＣＡに積載されて処理場に移送されている間に、利用者から回収された回収箱Ｂの現在状況について問い合わせ要求を受ける（ステップＳ５−３）と、以下の処理が行われる。なお、利用者コンピュータ２０からの問い合わせ要求には、問い合わせの対象となる回収箱Ｂの封印番号データ３３１が含まれる。
【００６３】
管理コンピュータ３０は、利用者コンピュータ２０からの問い合わせ要求に応じて回収箱Ｂの現在位置情報を抽出する（ステップＳ５−４）。詳述すると、管理コンピュータ３０は、カーゴ情報記憶部３４のカーゴ情報３４０から、封印番号データ３３１に対応するカーゴ識別子データ３４１を抽出する。そして、管理コンピュータ３０は、車両情報記憶部３５から、抽出したカーゴ識別子データ３４１に基いて車両識別子データ３５１の最新の通過位置データ３５２を抽出する。すなわち、回収箱Ｂが積載されている移送車ＣＡが最後に通過した位置データを抽出する。
【００６４】
そして、管理コンピュータ３０は、抽出した現在位置情報を利用者コンピュータ２０に送信する（ステップＳ５−５）。利用者コンピュータ２０がディスプレイにその位置データを表示することにより、利用者は回収された回収箱Ｂの現在位置情報を知ることができる。
【００６５】
（処分処理）
移送車ＣＡが処理工場に到着して、移送車ＣＡからカーゴ５５が降ろされて、図１４に示す処分処理が行われる。この処分処理においては、まず、利用者コンピュータ２０は、カーゴ５５の収容部の蓋を開くために、カーゴ５５の鍵番号データ３４２の要求を行う（ステップＳ６−１）。詳述すると、各回収箱Ｂの封印番号データ３３１が処理場コンピュータ２５に入力される。そして、処理場コンピュータ２５は、入力された封印番号データ３３１を管理コンピュータ３０に送信する。
【００６６】
管理コンピュータ３０は、処理場コンピュータ２５からの要求に応じて、その処理場コンピュータ２５に鍵番号データ３４２を送信する（ステップＳ６−２）。すなわち、管理コンピュータ３０は、受信した封印番号データ３３１に対応する鍵番号データ３４２をカーゴ情報記憶部３４から抽出し、この抽出した鍵番号データ３４２を処理場コンピュータ２５に送信する。
【００６７】
処理場コンピュータ２５は、受信した鍵番号データ３４２をディスプレイに表示する。そして、表示された鍵番号データ３４２がカーゴ５５の鍵パネル部５６に入力されることにより、カーゴ５５の収容部から回収箱Ｂが取り出される。
【００６８】
処理場コンピュータ２５は、読出端末２６を介して、回収箱Ｂに内蔵されているＩＣチップ５０のＩＣ識別子データ３２１及び暗証情報を読み出す。そして、処理場コンピュータ２５は、読み出したＩＣ識別子データ３２１を管理コンピュータ３０に送信する（ステップＳ６−３）。
【００６９】
管理コンピュータ３０は、ＩＣ識別子データ３２１を有する回収箱Ｂの処分を依頼した利用者を特定し、利用者のメールアドレスデータ３１４を処理場コンピュータ２５に送信する（ステップＳ６−４）。詳述すると、ＩＣ識別子データ３２１を受信した管理コンピュータ３０は、ＩＣチップ情報記憶部３２に記憶されているＩＣチップ情報３２０に基いて、ＩＣチップ５０が内蔵された回収箱Ｂの処分を依頼した利用者の利用者識別子データ３１１を抽出する。そして、管理コンピュータ３０は、抽出した利用者識別子データ３１１に基いて利用者情報記憶部３１から、利用者のメールアドレスデータ３１４を抽出する。そして、管理コンピュータ３０は、抽出されたメールアドレスデータ３１４を処理場コンピュータ２５に送信する。
【００７０】
処理場コンピュータ２５は、管理コンピュータ３０から受信したメールアドレスデータ３１４に基いて、回収箱Ｂの処分を依頼した利用者の利用者コンピュータ２０に処理前確認情報を送信する（ステップＳ６−５）。この処理前確認情報には、回収箱Ｂに付与されたＩＣ識別子データ３２１及び暗証情報が含まれる。
【００７１】
利用者コンピュータ２０は、受信した確認情報をディスプレイに表示する。利用者は、表示された確認情報のＩＣ識別子データ３２１及び暗証情報が、利用者が設定したものと同じかどうかを照合する。そして、確認情報が正しい場合には、利用者は、利用者コンピュータ２０を介して、処理の開始指示する処理開始信号を処理場コンピュータ２５に送信する（ステップＳ６−６）。
【００７２】
処理場コンピュータ２５は、処理開始信号を受信したＩＣ識別子データ３２１に対応する回収箱Ｂの処理を行うように指示する。これにより、利用者コンピュータ２０から処理開始信号を受信したＩＣ識別子データ３２１を有するＩＣチップ５０が内蔵された回収箱Ｂが、パルパー２８に投入されて溶解される。
【００７３】
一方、処理場コンピュータ２５は、このときの処理映像をカメラ２７を用いて撮影する。そして、撮影した処理映像の画像データを利用者コンピュータ２０及び管理コンピュータ３０に送信する（ステップＳ６−７）。なお、本実施形態における画像データは、動画として表示可能なデータである。
【００７４】
利用者コンピュータ２０は、受信した映像をディスプレイに表示する（ステップＳ６−８）。これにより、利用者は、廃棄を依頼した書類を収容した回収箱Ｂの処理をリアルタイムで監視することができる。
【００７５】
また、処理場コンピュータ２５は、受信した映像をＩＣ識別子データ３２１に関連付けてＩＣチップ情報記憶部３２の画像データ３２２として記憶する（ステップＳ６−９）。
【００７６】
その後、回収箱Ｂの処理映像を監視して処理が完了したと判断した利用者は、処理完了確認信号を利用者コンピュータ２０から管理コンピュータ３０に送信する（ステップＳ６−１０）。管理コンピュータ３０は、処理完了確認信号を受信すると、請求情報記憶部３６の処理完了フラグ３６１にフラグを記憶する（ステップＳ６−１１）。
【００７７】
その後、管理コンピュータ３０は、代金請求処理を行う（ステップＳ６−１２）。この代金請求処理において、管理コンピュータ３０は、処理完了フラグ３６１が記憶されておりかつ代金回収フラグ３６２が記憶されていないＩＣ識別子データ３２１を請求情報記憶部３６から抽出する。そして、管理コンピュータ３０は、抽出されたＩＣ識別子データ３２１に基いて、ＩＣチップ情報記憶部３２から利用者識別子データ３１１を抽出する。更に、管理コンピュータ３０は、抽出した利用者識別子データ３１１に基いて、利用者情報記憶部３１から利用者の代金引落口座データ３１５を抽出する。そして、管理コンピュータ３０は、抽出した代金引落口座データ３１５に基いて、処分した回収箱Ｂの代金を引き落とす指示を出す。これにより、廃棄処理の決済が行われて、一連の情報媒体処分が完了する。
【００７８】
本実施形態の情報媒体処分システムによれば、以下のような効果を得ることができる。
・本実施形態では、回収箱Ｂの内側に貼付されたＩＣチップ５０に、利用者のみが保持している暗証情報を記憶させた。そして、処理場の処理場コンピュータ２５は、読出端末２６により取得した回収箱ＢのＩＣ識別子データ３２１に基いて特定された利用者の利用者コンピュータ２０に、暗証情報を送信した（ステップＳ６−５）。このため、利用者は、自分が設定した暗証情報に基いて、処分を依頼した書類を収容した回収箱Ｂの確認を、開封せずに行うことができる。
【００７９】
・本実施形態では、回収箱Ｂが正しいことを利用者が確認すると、利用者コンピュータ２０から処理開始信号を処理場コンピュータ２５に送信する。そして、処理場コンピュータ２５は、処理開始信号を受信してから回収箱Ｂの処理を行わせた。このため、利用者が廃棄を依頼した書類であることを確認してから処理を行うので、より確実に収納容器に収容された書類を処分することができる。
【００８０】
・本実施形態では、回収箱Ｂが処分される様子を撮影した画像が利用者コンピュータ２０に送信されて表示された。このため、利用者は、回収箱Ｂの最終処分の様子を画像によって確認することができるので、書類に記録された機密情報が他に漏出することなく、より確実に処分することができる。
【００８１】
・本実施形態では、暗証情報をＩＣチップ５０に記憶させた。ＩＣチップ５０は、演算関数を記録可能な演算素子であるため、複雑な暗証情報を記憶させることもできるので、暗証情報を利用者以外のものが容易に判明できない情報とすることができる。従って、利用者は処分を依頼した書類を収容した回収箱Ｂか否かを容易に判断することができる。
【００８２】
・本実施形態では、廃棄する書類を収容した回収箱Ｂを封印する封印シールを識別する封印番号データ３３１を封印シール情報記憶部３３に記憶させた。このため、書類が処分されるまでに回収箱Ｂから取り出されたか否かを判断することができる。従って、利用者は、廃棄を依頼した書類に記載した機密情報が漏洩していないことを確認しながら、その書類が処分場に到着したか否かを容易に判断することができる。
【００８３】
・本実施形態では、回収箱Ｂをカーゴ５５に収容したときに、利用者が施錠したときに用いた鍵番号データ３４２をカーゴ情報記憶部３４に記憶した。このため、管理コンピュータ３０を介して鍵番号データ３４２を取得しない限り、容易には、回収箱Ｂをカーゴ５５から取り出すことができない。従って、回収箱Ｂが回収してから処理場に搬送されるまでにカーゴ５５から取り出されて回収箱Ｂに収容された書類の機密情報が漏出するというおそれをいっそう少なくすることができる。
【００８４】
・本実施形態では、管理コンピュータ３０は、回収した回収箱Ｂを搬送する移送車ＣＡの位置情報を所定時間毎に記録する。このため、回収箱Ｂを収容してから処理場に到着するまでの移送車ＣＡの位置を確認することができるので、機密情報の漏洩のおそれをいっそう少なくすることができる。
【００８５】
・本実施形態では、暗証情報を送信する利用者に関する情報は、管理コンピュータ３０で一括管理した。このため、複数の処理場において回収箱Ｂを処理する場合には、各処理場の処理場コンピュータ２５は、到着した回収箱Ｂについての情報を管理コンピュータ３０から必要なときに取得すればよいので、情報の管理が容易である。
【００８６】
・本実施形態では、暗証情報を記憶したＩＣチップ５０を回収箱Ｂの内部に貼付した後に、回収箱Ｂを封止した。このため、ＩＣチップ５０の変更がいっそうされ難いので、機密情報の漏洩をいっそう防止することができる。
【００８７】
・本実施形態では、回収箱Ｂの処分をカメラ２７によって撮影した画像を、利用者コンピュータ２０に送信するとともに、管理コンピュータ３０に送信されてＩＣチップ情報３２０に記憶した。このため、利用者が処理映像を再度確認したい場合には、画像データ３２２を取得することにより処理を確認することができる。
【００８８】
・本実施形態では、処理完了確認信号が完了に基いて、代金請求処理を行うので、依頼から決済までを自動的に行うことができる。
【００８９】
なお、本実施形態は以下のように変更してもよい。
○上記実施形態では、管理コンピュータ３０は、利用者識別子データ３１１に基いて、利用者情報記憶部３１から利用者のメールアドレスデータ３１４を特定した。これに代えて、処理場コンピュータ２５に、利用者識別子データ３１１に関連付けてメールアドレスデータ３１４を記憶させておき、処理場コンピュータ２５で利用者の利用者コンピュータ２０を特定させてもよい。
【００９０】
○上記実施形態では、書類を機密情報が記録された媒体として説明した。これに代えて、ＣＤ−ＲＯＭなどの媒体であってもよい。
○上記実施形態では、収納容器として回収箱Ｂを用いたが、これに限定されるものではない。例えば回収袋など、他の収納容器であってもよい。
【００９１】
○上記実施形態では、処理許可情報を利用者コンピュータ２０から受信すると、すぐに回収箱Ｂの処理を行った。これに代えて、処理許可情報を受信したことを一時的に保存して、後から回収箱の処理を行ってもよい。
【００９２】
○上記実施形態では、回収箱の処理映像をリアルタイムで利用者コンピュータ２０に送信した。これに代えて、利用者コンピュータ２０から要求があったときに、ＩＣチップ情報記憶部３２に記憶した画像データ３２２を送信してもよい。
【００９３】
【発明の効果】
本発明によれば、利用者は、暗証情報に基いて、処分を依頼した収納容器の確認を行うことができる。従って、収納容器の確認結果に基いて、収納容器を処分することができるので、廃棄したい情報媒体をより確実に処分することができる。また、情報媒体の処分は、処理場で行うことができ、一度に多量の処理を行うことが可能であるので、情報を効率的に廃棄することができる。
【図面の簡単な説明】
【図１】実施形態における情報媒体処分システムの全体の概略図。
【図２】管理センタの構成を示す構成図。
【図３】利用者情報記憶部が記憶しているデータのデータ構成図。
【図４】ＩＣチップ情報記憶部が記憶しているデータのデータ構成図。
【図５】封印シール情報記憶部が記憶しているデータのデータ構成図。
【図６】カーゴ情報記憶部が記憶しているデータのデータ構成図。
【図７】車両情報記憶部が記憶しているデータのデータ構成図。
【図８】請求情報記憶部が記憶しているデータのデータ構成図。
【図９】実施形態における登録処理の手順を示す流れ図。
【図１０】実施形態における発注処理の手順を示す流れ図。
【図１１】実施形態における回収前段階処理の手順を示す流れ図。
【図１２】実施形態における回収処理の手順を示す流れ図。
【図１３】実施形態における移送処理の手順を示す流れ図。
【図１４】実施形態における処分処理の手順を示す流れ図。
【符号の説明】
Ｂ…収納容器としての回収箱、２０…利用者コンピュータ、２５…処理場コンピュータ、３０…管理コンピュータ、５０…認証用記憶媒体としてのＩＣチップ、５１…封印シール、５５…カーゴ、３１０…利用者情報、３１１…記録媒体の識別情報としての利用者識別子データ、３３１…封印シールの識別情報としての封印番号データ、３４２…鍵情報としての鍵番号データ、３５２…車両位置情報としての通過位置データ。
【図１】
2005046662.tif 000003
【図２】
2005046662.tif 000004
【図３】
2005046662.tif 000005
【図４】
2005046662.tif 000006
【図５】
2005046662.tif 000007
【図６】
2005046662.tif 000008
【図７】
2005046662.tif 000009
【図８】
2005046662.tif 000010
【図９】
2005046662.tif 000011
【図１０】
2005046662.tif 000012
【図１１】
2005046662.tif 000013
【図１２】
2005046662.tif 000014
【図１３】
2005046662.tif 000015
【図１４】
2005046662.tif 000016